(57)【要約】【課題】楽曲毎に属性を指定する情報を必要とせずに楽曲の属性を推定する。【解決手段】歌詞解析部３２は、対象楽曲の歌詞に包含される複数の語句Ｗを特定する。属性推定部３４は、歌詞解析部３２が特定した複数の語句Ｗから対象楽曲の属性Ａを推定する。具体的には、属性推定部３４は、複数の属性の各々に対する親和度を語句Ｗ毎に指定する参照情報Ｒを利用して、歌詞解析部３２が特定した複数の語句Ｗから対象楽曲の属性Ａを推定する。【選択図】図３
2015145955.tif 000002
【特許請求の範囲】
【請求項１】
楽曲の歌詞に包含される語句を特定する歌詞解析部と、
複数の属性の各々に対する親和度を語句毎に指定する参照情報を利用して、前記歌詞解析部が特定した語句から前記楽曲の属性を推定する属性推定部と
を具備する楽曲解析装置。
【請求項２】
楽曲の歌詞に包含される語句を特定する歌詞解析部と、
各属性の楽曲の歌詞に使用される語句の傾向を表す属性毎の認識モデルを利用して、前記歌詞解析部が特定した語句から前記楽曲の属性を推定する属性推定部と
を具備する楽曲解析装置。
【請求項３】
前記属性推定部は、前記楽曲を区分した複数の解析区間の各々について、当該解析区間内の歌詞から前記歌詞解析部が特定した各語句に応じて属性を推定する
請求項１から請求項３の何れかの楽曲解析装置。
【請求項４】
楽曲の歌詞に包含される語句を特定する歌詞解析部と、
複数の属性の各々に対する親和度を語句毎に指定する参照情報、または、各属性の楽曲の歌詞に使用される語句の傾向を表す属性毎の認識モデルを利用して、前記歌詞解析部が特定した語句から前記楽曲の属性を推定する属性推定部と
前記属性推定部が推定した属性に応じた評価方法で歌唱音声を評価する歌唱評価部と
を具備する歌唱評価装置。
【請求項５】
楽曲の歌詞に包含される語句を特定する歌詞解析部と、
複数の属性の各々に対する親和度を語句毎に指定する参照情報、または、各属性の楽曲の歌詞に使用される語句の傾向を表す属性毎の認識モデルを利用して、前記歌詞解析部が特定した語句から前記楽曲の属性を推定する属性推定部と
歌唱音声を評価した結果と前記属性推定部が推定した属性とに応じたコメントを表示装置に表示させる歌唱評価部と
を具備する歌唱評価装置。
【請求項６】
楽曲の歌詞に包含される語句を特定する歌詞解析部と、
複数の属性の各々に対する親和度を語句毎に指定する参照情報、または、各属性の楽曲の歌詞に使用される語句の傾向を表す属性毎の認識モデルを利用して、前記歌詞解析部が特定した語句から前記楽曲の属性を推定する属性推定部と、
前記属性推定部が推定した属性に応じて照明機器の動作または表示装置による表示画像を制御する制御部と
を具備する楽曲解析装置。
【発明の詳細な説明】
【技術分野】
【０００１】
本発明は、楽曲の属性を推定する技術に関する。
【背景技術】
【０００２】
楽曲の属性（例えばジャンル）をカラオケ等の歌唱に応用した技術が従来から提案されている。例えば特許文献１には、演歌やポップス等の音楽的なジャンルを指定する分類コードを楽曲毎に事前に設定し、楽曲の歌唱時に表示されるＢＧＶ（background video）を当該楽曲の分類コードに応じて選択する構成が開示されている。また、特許文献２には、歌唱の採点基準を楽曲のジャンルに応じて変更する構成が開示されている。
【先行技術文献】
【特許文献】
【０００３】
【特許文献１】特開２００３−２４８４８９号公報
【特許文献２】特開２０１１−０９５４３７号公報
【発明の概要】
【発明が解決しようとする課題】
【０００４】
しかし、特許文献１や特許文献２の技術では、楽曲のジャンルを事前に楽曲毎に設定する必要がある。以上の事情を考慮して、本発明は、楽曲毎に属性を指定する情報を必要とせずに楽曲の属性を推定することを目的とする。
【課題を解決するための手段】
【０００５】
以上の課題を解決するために、本発明の楽曲解析装置は、楽曲の歌詞に包含される語句を特定する歌詞解析部と、歌詞解析部が特定した語句から楽曲の属性を推定する属性推定部とを具備する。以上の構成では、歌詞解析部が楽曲の歌詞から特定した語句に応じて楽曲の属性が推定されるから、楽曲毎に属性を指定する情報を必要とせずに楽曲の属性を推定することが可能である。
【０００６】
本発明の好適な態様において、属性推定部は、複数の属性の各々に対する親和度を語句毎に指定する参照情報を利用して、歌詞解析部が特定した語句から楽曲の属性を推定する。以上の態様では、複数の属性の各々に対する親和度を語句毎に指定する参照情報を利用することで楽曲の属性を簡便に推定できるという利点がある。なお、「語句」は、意味を持つ言語の最小単位である単語や複数の単語で構成される句（フレーズ）や文を含意する。なお、語句の言語は任意であり、日本語に限定されない。
【０００７】
本発明の好適な態様において、属性推定部は、各属性の楽曲の歌詞に使用される語句の傾向を表す属性毎の認識モデルを利用して、歌詞解析部が特定した語句から楽曲の属性を推定する。以上の態様では、各属性の楽曲の歌詞に使用される語句の傾向を表す属性毎の認識モデルを利用して楽曲の属性が推定されるから、各属性の多数の楽曲の歌詞に実際に使用される語句の傾向を反映した属性の適切な推定が実現される。
【０００８】
本発明の好適な態様において、属性推定部は、楽曲を区分した複数の解析区間の各々について、当該解析区間内の歌詞から歌詞解析部が特定した各語句に応じて属性を推定する。以上の態様では、楽曲を区分した解析区間毎に属性が推定されるから、楽曲内における曲調や題材の経時的な変化を適切に反映した属性を推定することが可能である。
【０００９】
本発明の好適な態様において、属性推定部は、楽曲の音楽情報（例えば演奏テンポや曲調）に応じて楽曲の属性を推定する。以上の態様では、楽曲の歌詞に包含される各語句に加えて楽曲の演奏テンポが属性の推定に加味されるから、例えば楽曲の歌詞の語句のみを属性の推定に利用する構成と比較して、楽曲の属性を高精度に推定できるという利点がある。
【００１０】
以上の各態様に係る楽曲解析装置は、楽曲の属性の解析に専用されるＤＳＰ（Digital Signal Processor）等のハードウェア（電子回路）によって実現されるほか、ＣＰＵ（Central Processing Unit）等の汎用の演算処理装置とプログラムとの協働によっても実現される。本発明の好適な態様に係るプログラムは、楽曲の歌詞に包含される語句を特定する歌詞解析部、および、歌詞解析部が特定した語句から楽曲の属性を推定する属性推定部としてコンピュータを機能させる。本発明のプログラムは、コンピュータが読取可能な記録媒体に格納された形態で提供されてコンピュータにインストールされ得る。記録媒体は、例えば非一過性（non-transitory）の記録媒体であり、ＣＤ-ＲＯＭ等の光学式記録媒体（光ディスク）が好例であるが、半導体記録媒体や磁気記録媒体等の公知の任意の形式の記録媒体を包含し得る。また、例えば、本発明のプログラムは、通信網を介した配信の形態で提供されてコンピュータにインストールされ得る。
また、以上に例示した各態様に係る楽曲解析装置の動作方法（楽曲解析方法）としても本発明は特定される。本発明の好適な態様に係る楽曲解析方法は、楽曲の歌詞に包含される語句を特定する歌詞解析過程と、歌詞解析過程で特定した語句から楽曲の属性を推定する属性推定過程とを包含する。
また、本発明の第１態様に係る歌唱評価装置は、楽曲の歌詞に包含される語句を特定する歌詞解析部と、歌詞解析部が特定した語句から楽曲の属性を推定する属性推定部と、属性推定部が推定した属性に応じた評価方法で歌唱音声を評価する歌唱評価部とを具備する。本発明の第２態様に係る歌唱評価装置は、楽曲の歌詞に包含される語句を特定する歌詞解析部と、歌詞解析部が特定した語句から楽曲の属性を推定する属性推定部と、歌唱音声を評価した結果と属性推定部が推定した属性とに応じたコメントを表示装置に表示させる歌唱評価部とを具備する。また、楽曲の歌詞に包含される語句を特定する歌詞解析部と、歌詞解析部が特定した語句から前記楽曲の属性を推定する属性推定部と、属性推定部が推定した属性に応じて照明機器の動作または表示装置による表示画像を制御する制御部とを具備する構成も好適である。
【図面の簡単な説明】
【００１１】
【図１】本発明の第１実施形態に係る歌唱評価装置の構成図である。
【図２】参照情報の説明図である。
【図３】楽曲解析部の構成図である。
【図４】属性推定処理のフローチャートである。
【図５】歌唱評価処理のフローチャートである。
【図６】加重値情報の説明図である。
【図７】第２実施形態における楽曲解析部の構成図である。
【図８】第２実施形態における属性推定処理のフローチャートである。
【図９】第３実施形態における解析区間の説明図である。
【図１０】第４実施形態の動作の説明図である。
【発明を実施するための形態】
【００１２】
＜第１実施形態＞
図１は、本発明の第１実施形態に係る歌唱評価装置１００の構成図である。歌唱評価装置１００は、利用者による歌唱の巧拙を評価（採点）する情報処理装置であり、演算処理装置１２と記憶装置１４と収音装置１６と表示装置１８とを具備するコンピュータシステムで実現される。歌唱評価装置１００は、例えば楽曲の伴奏音を再生するカラオケ装置として好適に利用される。
【００１３】
収音装置１６は、周囲の音響を収音する装置（マイクロホン）である。第１実施形態の収音装置１６は、特定の楽曲（以下「対象楽曲」という）を利用者が歌唱した歌唱音声Ｖを収音する。対象楽曲は、例えば複数の楽曲のうち利用者が選択した楽曲である。表示装置１８（例えば液晶表示パネル）は、演算処理装置１２から指示された画像を表示する。例えば歌唱音声Ｖの評価結果が表示装置１８に表示される。なお、歌唱音声Ｖの評価結果を放音装置（例えばスピーカ）から音声で出力することも可能である。
【００１４】
演算処理装置１２は、記憶装置１４に記憶されたプログラムを実行することで歌唱評価装置１００の各要素を統括的に制御する。具体的には、演算処理装置１２は、図１に例示される通り、対象楽曲の属性を推定する楽曲解析部２２と、楽曲解析部２２による推定結果に応じて対象楽曲の歌唱の巧拙を評価する歌唱評価部２４とを実現する。楽曲解析部２２が推定する属性は、例えば対象楽曲の曲調（雰囲気）や題材を直接的または間接的に表象する情報である。例えば「失恋」「悲しい」「切ない」「田舎」「昔」といった情報が対象楽曲の属性として推定される。なお、「演歌」「ポップス」「ラブソング」等の音楽的なジャンルを属性として推定することも可能である。なお、演算処理装置１２の各機能を複数の装置に分散した構成や、演算処理装置１２の機能の一部を専用の電子回路が実現する構成も採用され得る。
【００１５】
記憶装置１４は、演算処理装置１２が実行するプログラムや演算処理装置１２が使用する各種のデータを記憶する。半導体記録媒体および磁気記録媒体等の公知の記録媒体または複数種の記録媒体の組合せが記憶装置１４として任意に採用される。第１実施形態の記憶装置１４は、複数の楽曲の各々について楽曲情報Ｄを記憶する。任意の１個の楽曲の楽曲情報Ｄは、当該楽曲の主旋律の音符列（楽曲の歌唱パートを構成する複数の音符の時系列）を指定する旋律情報ＤAと、当該楽曲の歌詞（語句の時系列）を指定する歌詞情報ＤBとを含んで構成される。
【００１６】
また、第１実施形態の記憶装置１４は、楽曲解析部２２による対象楽曲の属性の推定に利用される参照情報Ｒを記憶する。図２は、参照情報Ｒの模式図である。図２に例示される通り、参照情報Ｒは、Ｋ個の属性ａ[1]〜ａ[K]の各々について語句Ｗ毎の親和度Ｈ（Ｈ[1,1]，Ｈ[1,2]，……）を指定するデータテーブルである。任意の１個の属性ａ[k]（ｋ＝１〜Ｋ）については、多数の楽曲の歌詞に包含され得る複数の語句Ｗの各々の親和度Ｈが指定される。属性ａ[k]に対する１個の語句Ｗの親和度Ｈは、当該属性ａ[k]の楽曲の歌詞として当該語句Ｗが親和（調和）する度合の指標である。具体的には、属性ａ[k]の楽曲の歌詞に当該語句Ｗが出現する可能性が高い（すなわち当該語句Ｗが楽曲の音楽的な雰囲気に馴染む）ほど親和度Ｈが増加するように、Ｋ個の属性ａ[1]〜ａ[K]の各々について語句Ｗ毎の親和度Ｈが統計的に設定される。
【００１７】
図３は、楽曲解析部２２の構成図である。図３に例示される通り、第１実施形態の楽曲解析部２２は、歌詞解析部３２と属性推定部３４とを包含する。歌詞解析部３２は、対象楽曲の歌詞情報ＤBが指定する歌詞を解析する。具体的には、歌詞解析部３２は、対象楽曲の歌詞に包含される複数の語句Ｗを特定する。歌詞解析部３２による各語句Ｗの特定には、形態素解析等の公知の自然言語処理が任意に採用される。例えば、歌詞解析部３２は、歌詞情報ＤBで指定される歌詞を分割した複数の形態素（言語的な意味を持つ最小単位）のうち楽曲の歌詞に使用され得る所定の語句Ｗを選択する。
【００１８】
属性推定部３４は、歌詞解析部３２が対象楽曲の歌詞について特定した複数の語句Ｗから対象楽曲の属性Ａを推定する。属性推定部３４による属性の推定には、記憶装置１４に記憶された参照情報Ｒが利用される。
【００１９】
図４は、属性推定部３４が対象楽曲の属性Ａを推定する処理（以下「属性推定処理」という）のフローチャートである。属性推定処理を開始すると、属性推定部３４は、歌詞解析部３２が対象楽曲の歌詞から特定した複数の語句Ｗの各々について出現回数Ｃを集計する（ＳA1）。すなわち、各語句Ｗの出現回数Ｃは、対象楽曲の歌詞に包含される当該語句Ｗの個数（回数）に相当する。
【００２０】
属性推定部３４は、参照情報Ｒに登録されたＫ個の属性ａ[1]〜ａ[K]の各々について推定指標Ｘ[k]（Ｘ[1]〜Ｘ[K]）を算定する（ＳA2）。第１実施形態における任意の１個の推定指標Ｘ[k]は、参照情報Ｒのうち当該推定指標Ｘ[k]に対応する属性ａ[k]に指定された各語句Ｗの親和度Ｈを加重値とした出現回数Ｃの加重和（Ｘ[k]＝Σ｛ＨＣ｝）である。以上の説明から理解される通り、Ｋ個の属性ａ[1]〜ａ[K]のうち、参照情報Ｒにて指定された親和度Ｈが大きい語句Ｗの出現回数Ｃが多い属性ａ[k]の推定指標Ｘ[k]ほど大きい数値に設定される。すなわち、対象楽曲の歌詞において属性ａ[k]の音楽的な雰囲気に馴染む語句Ｗ（親和度Ｈが大きい語句Ｗ）の出現回数Ｃが多いほど、属性ａ[k]の推定指標Ｘ[k]は大きい数値に設定されるという傾向がある。したがって、各推定指標Ｘ[1]を対象楽曲の属性Ａの推定に利用することが可能である。
【００２１】
属性推定部３４は、以上の手順で算定したＫ個の推定指標Ｘ[1]〜Ｘ[K]に応じて対象楽曲の属性Ａを推定する（ＳA3）。具体的には、第１実施形態の属性推定部３４は、Ｋ個の属性ａ[1]〜ａ[K]のうち推定指標Ｘ[k]が最大となる１個の属性ａ[k]を対象楽曲の属性Ａとして確定する。以上が属性推定処理の具体例である。
【００２２】
図１の歌唱評価部２４は、楽曲解析部２２が推定した対象楽曲の属性Ａに応じた歌唱音声Ｖの解析で利用者による歌唱の巧拙を評価する。概略的には、歌唱評価部２４は、対象楽曲の楽曲情報Ｄの旋律情報ＤAで指定される音符列と収音装置１６が収音した歌唱音声Ｖとを相互に対比し、両者間の合致（相違）の度合に応じた評価指標（点数）Ｓを算定する。
【００２３】
図５は、歌唱評価部２４が歌唱音声Ｖを評価する動作（以下「歌唱評価処理」という）のフローチャートである。歌唱評価処理を開始すると、歌唱評価部２４は、相異なる複数（Ｎ個）の音楽的な評価項目の各々について基礎値ｓ[1]〜ｓ[N]を算定する（ＳB1）。Ｎ個の評価項目は、歌唱の巧拙を評価するための音楽的な観点であり、例えば音高の正確性，抑揚の適否，歌唱技法（小節，フォール，ビブラート）の有無等を包含する。評価項目毎の歌唱の評価（基礎値ｓ[1]〜ｓ[N]の算定）には公知の技術が任意に採用される。
【００２４】
歌唱評価部２４は、相異なる評価項目に対応するＮ個の加重値ｗ[1]〜ｗ[N]を特定する（ＳB2）。各加重値ｗ[n]（ｎ＝１〜Ｎ）の算定には図６の加重値情報Ｅが利用される。図６に例示される通り、加重値情報Ｅは、Ｋ個の属性ａ[1]〜ａ[K]の各々についてＮ個の加重値ｗ[1]〜ｗ[N]を指定するデータテーブルである。Ｎ個の加重値ｗ[1]〜ｗ[N]の各々は、各属性ａ[k]の楽曲の歌唱における各評価項目の重要度に応じて属性ａ[k]毎に個別に設定される。例えば、小節やビブラート等の歌唱技法が重要視される演歌等の楽曲の属性ａ[k]については各歌唱技法の評価項目の加重値ｗ[n]が相対的に大きい数値に設定され、音高の正確性が重要視される楽曲の属性ａ[k]については音高の正確性の評価項目の加重値ｗ[n]が相対的に大きい数値に設定される。以上のように属性ａ[k]毎の評価項目の軽重を反映した加重値情報Ｅが事前に用意されたうえで記憶装置１４に格納される。歌唱評価部２４は、Ｋ個の属性ａ[1]〜ａ[K]のうち属性推定部３４が推定した属性Ａに対応するＮ個の加重値ｗ[1]〜ｗ[N]を記憶装置１４の加重値情報Ｅから特定する。
【００２５】
歌唱評価部２４は、ステップＳB1で算定したＮ個の基礎値ｓ[1]〜ｓ[N]とステップＳB2で特定したＮ個の加重値ｗ[1]〜ｗ[N]とに応じて歌唱音声Ｖの評価指標Ｓを算定する（ＳB3）。具体的には、歌唱評価部２４は、評価項目毎の加重値ｗ[n]を適用した基礎値ｓ[n]の加重和を最終的な評価指標Ｓ（Ｓ＝Σ｛ｗ[n]ｓ[n]｝）として算定する。したがって、Ｎ個の評価項目のうち対象楽曲の属性Ａについて重要視される各評価項目に関する評価が高い（基礎値ｓ[n]が大きい）ほど評価指標Ｓは大きい数値に設定される。以上の説明から理解される通り、歌唱評価部２４は、対象楽曲について推定された属性Ａに応じた可変の評価方法（評価基準）で歌唱音声Ｖを評価する。歌唱評価部２４は、以上の手順で算定した評価指標Ｓを表示装置１８に表示させる（ＳB4）。
【００２６】
以上に説明した通り、第１実施形態では、歌詞解析部３２が対象楽曲の歌詞から特定した複数の語句Ｗに応じて対象楽曲の属性Ａが推定されるから、楽曲毎に属性を指定する情報を必要とせずに対象楽曲の属性Ａを推定できるという利点がある。第１実施形態では特に、Ｋ個の属性ａ[1]〜ａ[K]の各々について各語句Ｗの親和度Ｈを指定する参照情報Ｒを利用することで対象楽曲の属性Ａを簡便に推定できるという利点がある。
【００２７】
また、第１実施形態では、対象楽曲について推定された属性Ａに応じた可変の評価方法で利用者の歌唱が評価されるから、対象楽曲の属性Ａに応じた適切な評価（例えば属性Ａの楽曲の歌唱にて特に重要な評価項目を重視した評価）を実現することが可能である。
【００２８】
＜第２実施形態＞
本発明の第２実施形態を以下に説明する。なお、以下に例示する各形態において作用や機能が第１実施形態と同様である要素については、第１実施形態の説明で参照した符号を流用して各々の詳細な説明を適宜に省略する。
【００２９】
図７は、第２実施形態における楽曲解析部２２の構成図である。第２実施形態の楽曲解析部２２の属性推定部３４は、相異なる属性ａ[k]に対応するＫ個の認識モデルＭ[1]〜Ｍ[K]を利用して対象楽曲の属性Ａを推定する。任意の属性ａ[k]に対応する１個の認識モデルＭ[k]は、属性ａ[k]の楽曲の歌詞に使用される語句Ｗの傾向を表す統計モデルである。例えばGMM（Gaussian Mixture Model）等の混合分布を利用した統計モデルが認識モデルＭ[k]として好適に利用される。
【００３０】
Ｋ個の認識モデルＭ[1]〜Ｍ[K]は、相異なる楽曲に対応する多数の学習情報Ｌを利用した機械学習で事前に生成される。学習情報Ｌは、楽曲の属性ａ[k]を指定する属性情報（ラベル）ＬAと、当該楽曲の歌詞を指定する歌詞情報ＬBとを含んで構成される。任意の１個の楽曲には複数の属性ａ[k]が指定され得る。属性情報ＬAで指定される属性ａ[k]毎に多数の学習情報Ｌが分類され、属性ａ[k]に分類された各学習情報Ｌの歌詞情報ＬBから抽出される語句Ｗの傾向を統計的に解析することで属性ａ[k]毎の認識モデルＭ[k]が生成される。以上に例示した機械学習で事前に用意されたＫ個の認識モデルＭ[1]〜Ｍ[K]（実際には各認識モデルＭ[k]を規定する変数）が記憶装置１４に記憶され、属性推定部３４による対象楽曲の属性Ａの推定に利用される。なお、認識モデルＭ[k]の生成には公知の機械学習技術が任意に採用される。
【００３１】
第２実施形態の各認識モデルＭ[k]は、歌詞解析部３２が対象楽曲の歌詞から特定した複数の語句Ｗに応じて属性ａ[k]の推定指標Ｙ[k]を算定するための統計モデルである。任意の１個の認識モデルＭ[k]で算定される推定指標Ｙ[k]は、対象楽曲が属性ａ[k]に該当する確度（尤度）の指標である。すなわち、対象楽曲の複数の語句Ｗが、認識モデルＭ[k]で表現される傾向（属性ａ[k]の楽曲の歌詞に使用される語句Ｗの傾向）に合致する度合が高いほど推定指標Ｙ[k]は大きい数値に設定される。すなわち、推定指標（尤度）Ｙ[k]は、属性ａ[k]に対する語句Ｗの親和度としても観念される。
【００３２】
図８は、第２実施形態の属性推定部３４が対象楽曲の属性Ａを推定する属性推定処理のフローチャートである。属性推定処理を開始すると、属性推定部３４は、歌詞解析部３２が特定した複数の語句ＷをＫ個の認識モデルＭ[1]〜Ｍ[K]の各々に適用することで、相異なる属性ａ[k]に対応するＫ個の推定指標Ｙ[1]〜Ｙ[K]を算定する（ＳC1）。前述の通り、対象楽曲の歌詞に使用される複数の語句Ｗが認識モデルＭ[k]の傾向に合致する度合が高い（歌詞に使用される語句の傾向の観点から対象楽曲が属性ａ[k]に該当する確度が高い）ほど、推定指標Ｙ[k]は大きい数値に設定される。
【００３３】
属性推定部３４は、Ｋ個の推定指標Ｙ[1]〜Ｙ[K]に応じて対象楽曲の属性Ａを推定する（ＳC2）。具体的には、第２実施形態の属性推定部３４は、Ｋ個の属性ａ[1]〜ａ[K]のうち推定指標Ｙ[k]が最大となる１個の属性ａ[k]を対象楽曲の属性Ａとして確定する。以上が第２実施形態における属性推定処理の具体例である。歌唱評価部２４による歌唱評価処理の内容は第１実施形態と同様である。
【００３４】
第２実施形態においても第１実施形態と同様の効果が実現される。また、第２実施形態では、各属性ａ[k]の楽曲の歌詞に使用される語句の傾向を表す属性ａ[k]毎の認識モデルＭ[k]を利用して対象楽曲の属性Ａが推定されるから、属性ａ[k]の多数の楽曲の歌詞に使用される語句Ｗの実際の傾向を反映した属性Ａの適切な推定を実現することが可能である。
【００３５】
＜第３実施形態＞
図９は、第３実施形態における歌唱評価装置１００の動作の説明図である。図９に例示される通り、属性推定部３４は、対象楽曲を区分した複数の解析区間Ｐ（（図９の例示では解析区間Ｐ1〜Ｐ4の計４個）の各々について属性Ａを個別に推定する。具体的には、属性推定部３４は、任意の１個の解析区間Ｐ内の歌詞から歌詞解析部３２が特定した各語句Ｗを属性推定処理に適用することで当該解析区間の属性Ａを推定する。属性Ａの推定には第１実施形態または第２実施形態と同様の方法が採用され得る。
【００３６】
解析区間Ｐは、例えば間奏を境界として対象楽曲を時間軸上で区分した各区間（楽曲の１番，２番等）である。図９では、対象楽曲の解析区間Ｐ1について「ウキウキ」という属性Ａが推定され、解析区間Ｐ2について「別れ」という属性Ａが推定され、解析区間Ｐ3について「とまどい」という属性Ａが推定され、解析区間Ｐ4について「悲しい」という属性Ａが推定された場合が例示されている。以上の通り、第３実施形態では解析区間Ｐ毎に属性Ａが推定されるから、歌唱音声Ｖの評価方法は属性Ａの推定結果に応じて解析区間Ｐ毎に変化し得る。
【００３７】
第３実施形態においても第１実施形態と同様の効果が実現される。また、第３実施形態では、解析区間Ｐ毎に属性Ａが推定されるから、楽曲内における曲調や題材の経時的な変化を適切に反映した属性Ａを推定することが可能である。
【００３８】
＜第４実施形態＞
第４実施形態の属性推定部３４は、対象楽曲の演奏テンポに応じて対象楽曲の属性Ａを推定する。具体的には、属性推定部３４は、対象楽曲の属性Ａとして選択し得る属性ａ[k]の範囲（属性Ａの候補の範囲）を演奏テンポに応じて可変に制御する。
【００３９】
例えば、「悲しい」「別れ」等の否定的（消極的）な属性Ａの楽曲は演奏テンポが比較的に遅いという傾向がある。属性推定部３４は、対象楽曲の演奏テンポの高低を判定し、図１０に例示される通り、演奏テンポが低い場合には否定的な属性ａ[k]を含むＫ個の属性ａ[1]〜ａ[K]から属性Ａを選択する一方、演奏テンポが高い場合には否定的な属性ａ[k]を選択対象から除外する。すなわち、演奏テンポが高い対象楽曲については否定的な属性ａ[k]は属性Ａとして選択されない。
【００４０】
第４実施形態においても第１実施形態と同様の効果が実現される。また、第４実施形態では、対象楽曲の歌詞の各語句Ｗに加えて対象楽曲の演奏テンポが対象楽曲の属性Ａの推定に加味されるから、例えば各語句Ｗのみを属性Ａの推定に利用する構成と比較して対象楽曲の属性Ａを高精度に推定できるという利点がある。
【００４１】
＜変形例＞
以上の各形態は多様に変形され得る。具体的な変形の態様を以下に例示する。以下の例示から任意に選択された２個以上の態様は適宜に併合され得る。
【００４２】
（１）前述の各形態では、Ｋ個の属性ａ[1]〜ａ[K]のうち推定指標（Ｘ[k]，Ｙ[k]）に応じた１個の属性ａ[k]を対象楽曲の属性Ａとして選択したが、複数の属性ａ[k]の組合せを対象楽曲の属性Ａとして推定することも可能である。例えば、推定指標Ｘ[k]または推定指標Ｙ[k]の降順で上位に位置する所定個の属性ａ[k]の組合せを対象楽曲の属性Ａとして選択する構成や、推定指標Ｘ[k]または推定指標Ｙ[k]が所定の閾値を上回る１個以上の属性ａ[k]を対象楽曲の属性Ａとして選択する構成が採用される。
【００４３】
以上の例示のように複数の属性ａ[k]を選択する構成では、複数の属性ａ[k]に応じて歌唱評価部２４による歌唱評価処理が実行される。例えば、属性ａ[k1]と属性ａ[k2]と属性ａ[k3]との計３個の組合せが対象楽曲の属性Ａとして推定された場合を想定すると、歌唱評価部２４は、属性ａ[k1]に対応する加重値ｗ[n]と属性ａ[k2]に対応する加重値ｗ[n]と属性ａ[k3]に対応する加重値ｗ[n]との平均値または加算値を各基礎値ｓ[n]の確定的な加重値ｗ[n]として評価指標Ｓを算定する。
【００４４】
（２）前述の各形態では、評価指標Ｓの算定（各基礎値ｓ[n]の加重和）に適用される各加重値ｗ[n]を対象楽曲の属性Ａに応じて変化させたが、歌唱の評価方法を対象楽曲の属性Ａに応じて変化させるための構成は以上の例示に限定されない。例えば、相異なる複数種の評価方法（歌唱評価処理）のうち対象楽曲の属性Ａに応じた評価方法を採択して評価指標Ｓを算定する構成や、評価項目毎の基礎値ｓ[n]の算定に適用される変数を対象楽曲の属性Ａに応じて可変に設定する構成、Ｎ個の基礎値ｓ[n]のうち評価指標Ｓの算定に適用される基礎値ｓ[n]の組合せ（すなわち歌唱評価に加味される評価項目）を対象楽曲の属性Ａに応じて変化させる構成も採用され得る。
【００４５】
（３）前述の各形態では、楽曲解析部２２が推定した属性Ａを歌唱評価処理に適用する構成を例示したが、対象楽曲について推定された属性Ａの利用方法は以上の例示に限定されない。具体的には、以下の各態様が好適に採用される。
【００４６】
［Ａ］演算処理装置１２は、対象楽曲の歌唱時に表示装置１８に表示される画像（ＢＧＶ）を、対象楽曲の属性Ａに応じて選択する。例えば、対象楽曲について「悲しい」という属性Ａが推定された場合には悲しい印象のＢＧＶが選択および表示される。また、表示装置１８に表示されるＢＧＶ（動画像）を楽曲内の各時点で複数の候補から順次に選択する構成では、各時点での選択対象を対象楽曲の属性Ａに応じて制御することも可能である。各利用者が所有する携帯電話機やスマートフォン等の端末装置に表示される画像を属性Ａに応じて制御する構成も採用され得る。
【００４７】
［Ｂ］演算処理装置１２（歌唱評価部２４）は、対象楽曲の属性Ａに応じたコメント（評価コメントや指導コメント）を表示装置１８に表示させる。例えば、対象楽曲の歌唱の評価結果に関連する評価コメントを利用者に提示する構成が好適である。具体的には、歌唱評価部２４は、事前に用意された複数の候補から属性Ａに応じて選択した評価コメントを評価指標Ｓとともに利用者に提示する。例えば、評価指標Ｓが所定値を上回り、かつ、対象楽曲について「渋い」という属性Ａが推定された場合には、「渋い曲もいいね！」といった評価コメントが評価指標Ｓとともに表示装置１８に表示される。
【００４８】
また、対象楽曲の歌唱の指導に関連する指導コメントを利用者に提示する構成も採用される。具体的には、前述の評価コメントの提示と同様に、歌唱評価部２４は、事前に用意された複数の候補から属性Ａに応じて選択した評価コメントを評価指標Ｓとともに利用者に提示する。例えば、評価指標Ｓが所定値を下回り、かつ、対象楽曲について「切ない」や「悲しい」等の属性Ａ（音程等の他の要素と比較して抑揚に特に注意して歌唱すべき感情的な楽曲の属性）が推定された場合には「抑揚に注意しながら感情を込めて歌いましょう」といった指導コメントが評価指標Ｓとともに表示装置１８に表示される。
【００４９】
［Ｃ］演算処理装置１２（歌唱評価部２４）は、歌唱評価装置１００ともに音響空間に設置される各種の照明機器（例えば各種の視覚効果を実現するミラーボールやレーザー等を含む光による演出用の機器）の動作を属性Ａに応じて制御することも可能である。例えば、「切ない」という属性Ａが推定された場合には暖色系（赤色等）の照明光を出射し、「さわやか」という属性Ａが推定された場合には寒色系（青色等）の照明光を出射し、「激しい」という属性Ａが推定された場合には照明光の明度や色相を変動させる。
【００５０】
（４）第４実施形態では、演奏テンポに応じて対象楽曲の属性Ａを推定したが、属性Ａの推定に加味される音楽情報（音楽的な要素）は演奏テンポに限定されない。例えば、対象楽曲の演奏パート構成（楽器の組合せ）やリズムパターン，曲調，楽曲長，楽曲構成等の音楽情報を属性Ａの推定に加味することも可能である。
【００５１】
（５）前述の各形態では、楽曲解析部２２が推定した属性Ａを歌唱評価処理に適用する歌唱評価装置１００を例示したが、対象楽曲の属性Ａを推定する楽曲解析装置としても本発明は実現され得る。楽曲解析装置は、前述の各形態で例示した楽曲解析部２２（歌詞解析部３２，属性推定部３４）を具備する情報処理装置である。前述の各形態の歌唱評価装置１００は、楽曲解析装置に歌唱評価部２４を付加した構成に相当する。
【符号の説明】
【００５２】
１００……歌唱評価装置、１２……演算処理装置、１４……記憶装置、１６……収音装置、１８……表示装置、２２……楽曲解析部、２４……歌唱評価部、３２……歌詞解析部、３４……属性推定部。
【図１】
2015145955.tif 000003
【図２】
2015145955.tif 000004
【図３】
2015145955.tif 000005
【図４】
2015145955.tif 000006
【図５】
2015145955.tif 000007
【図６】
2015145955.tif 000008
【図７】
2015145955.tif 000009
【図８】
2015145955.tif 000010
【図９】
2015145955.tif 000011
【図１０】
2015145955.tif 000012